(57)【要約】【課題】電子部品に加わる衝撃を緩和して、電子部品と基板との間の接続の不具合を防止する実装構造を有する電子機器を提供する。【解決手段】電子機器１は、筐体１０と、筐体１０内に収容され、スリット２４が設けられた剛性を有する第１の基板２１と、第１の基板２１に設けられ、スリット２４に隣接する部品実装部２６と、部品実装部２６に実装された電子部品３０と、第１の基板２１の内部および部品実装部２６の内部に積層され、スリット２４を横断することで部品実装部２６を第１の基板２１に対し変位可能に支持する柔軟性を有する第２の基板２２と、を備えている。【選択図】    図２
2011014648.tif 000002
【特許請求の範囲】
【請求項１】
筐体と、
前記筐体内に収容され、スリットが設けられた剛性を有する第１の基板と、
前記第１の基板に設けられ、前記スリットに隣接する部品実装部と、
前記部品実装部に実装された電子部品と、
前記第１の基板の内部および前記部品実装部の内部に積層され、前記スリットを横断することで前記部品実装部を前記第１の基板に対し変位可能に支持する柔軟性を有する第２の基板と、を備えていることを特徴とする電子機器。
【請求項２】
前記スリットは、前記第１の基板を厚み方向に貫通していることを特徴とする請求項１に記載の電子機器。
【請求項３】
前記第２の基板は、前記第１の基板および前記部品実装部のそれぞれ全域にわたるように積層されていることを特徴とする請求項２に記載の電子機器。
【請求項４】
前記部品実装部は、前記スリットにより取り囲まれて前記第１の基板から切り離されていることを特徴とする請求項３に記載の電子機器。
【請求項５】
前記部品実装部は、前記第１の基板の一部からなることを特徴とする請求項１に記載の電子機器。
【請求項６】
前記電子部品は、複数の接続端子を有し、前記部品実装部は、前記電子部品の接続端子が電気的に接続される実装面を有することを特徴とする請求項１に記載の電子機器。
【請求項７】
前記電子部品と前記部品実装部との間にわたって充填され、前記電子部品を前記部品実装部に固定する補強部をさらに備えていることを特徴とする請求項１に記載の電子機器。
【請求項８】
前記第１の基板の少なくとも一部と前記部品実装部の少なくとも一部との間にわたって設けられる衝撃吸収材をさらに備えていること特徴とする請求項１に記載の電子機器。
【請求項９】
筐体と、
前記筐体内に収容され、柔軟性を有する基板と、
前記基板の一部に積層された剛性を有する実装基板と、
前記実装基板に実装された電子部品と、を備えていることを特徴とする電子機器。
【発明の詳細な説明】
【技術分野】
【０００１】
本発明は、リジッドプリント配線板の周りにフレキシブルプリント配線板が配置された回路モジュールを備える電子機器に関する。
【背景技術】
【０００２】
例えばポータブルコンピュータのような電子機器の内部には、リジッドプリント配線板や、このリジッドプリント配線板に実装された各種の電子部品によって構成される回路モジュールが収容されている。この種の携行可能な電子機器は、例えば、鞄に入れて運搬しているときに、外部から衝撃を受けることがありうる。
【０００３】
電子機器が衝撃を受けると、その衝撃は内部の回路モジュールまで伝わってしまう。回路モジュールが衝撃を受けると、回路モジュールにたわみやひずみが生じる。これにより、例えば半田付けによるリジッドプリント配線板と電子部品との間の接続に、不具合が生じることがある。
【０００４】
このような不具合を防止するため、電子部品の側縁とリジッドプリント配線板との間にわたって接着剤を供給し、電子部品とリジッドプリント配線板との間の接続を補強することが行なわれている。その他の方法として、例えば特許文献１では、リジッドプリント配線板の一部にフレキシブルプリント配線板（以下ＦＰＣと称する）を露出させ、このＦＰＣに電子部品を実装している。
【先行技術文献】
【特許文献】
【０００５】
【特許文献１】特開２００３−３３２７４３号公報
【発明の概要】
【発明が解決しようとする課題】
【０００６】
従来のように接着剤を用いて電子部品とリジッドプリント配線板との間の接続を補強しても、電子機器に加わる衝撃の多くがそのまま回路モジュールに伝わってしまう。このため、接着剤を用いる方法では、衝撃によって接続の不具合が生じるおそれが残る。
【０００７】
ＦＰＣに電子部品を実装する方法では、ＦＰＣが柔軟性を有するため、電子部品がしっかりと取り付けられないおそれがある。このため、ＦＰＣに電子部品を実装する方法であっても、衝撃によって接続の不具合が生じるおそれが残る。
【０００８】
本発明の目的は、電子部品に加わる衝撃を緩和して、電子部品と基板との間の接続の不具合を防止できる実装構造を有する電子機器を提供することにある。
【課題を解決するための手段】
【０００９】
上記目的を達成するための本発明の一つの形態に係る電子機器は、  
筐体と、前記筐体内に収容され、スリットが設けられた剛性を有する第１の基板と、前記第１の基板に設けられ、前記スリットに隣接する部品実装部と、前記部品実装部に実装された電子部品と、前記第１の基板の内部および前記部品実装部の内部に積層され、前記スリットを横断することで前記部品実装部を前記第１の基板に対し変位可能に支持する柔軟性を有する第２の基板と、を備えている。
【００１０】
上記目的を達成するための本発明の他の形態に係る電子機器は、  
筐体と、前記筐体内に収容され、柔軟性を有する基板と、前記基板の一部に積層された剛性を有する実装基板と、前記実装基板に実装された電子部品と、を備えている。
【発明の効果】
【００１１】
本発明によれば、電子部品に加わる衝撃を緩和して、電子部品と基板との間の接続の不具合を防止することができる。
【図面の簡単な説明】
【００１２】
【図１】本発明の第１の実施の形態に係るポータブルコンピュータの一部を切り欠いて示す斜視図。
【図２】本発明の第１の実施の形態の回路モジュールの一部を示す平面図。
【図３】図２のＦ３−Ｆ３線に沿う断面図。
【図４】本発明の第１の実施の形態において、成形前の回路モジュールの一部を示す断面図。
【図５】本発明の第２の実施の形態の回路モジュールの一部を示す平面図。
【図６】図５のＦ６−Ｆ６線に沿う断面図。
【図７】本発明の第３の実施の形態の回路モジュールの一部を示す平面図。
【図８】図７のＦ８−Ｆ８線に沿う断面図。
【図９】本発明の第４の実施の形態の回路モジュールの一部を示す断面図。
【図１０】本発明の第５の実施の形態の回路モジュールの一部を示す平面図。
【発明を実施するための形態】
【００１３】
以下に、本発明の第１の実施の形態を、図１ないし図４に基づいて説明する。  
図１は、電子機器の一例であるポータブルコンピュータ１を示す。ポータブルコンピュータ１は、コンピュータ本体２と、ディスプレイモジュール３とを有している。
【００１４】
ディスプレイモジュール３は、コンピュータ本体２の後端に一対のヒンジ部４を介して連結されている。ディスプレイモジュール３は、ヒンジ部４を支点として、コンピュータ本体２の上に横たわる閉じ位置と、コンピュータ本体２の後端から起立する開き位置との間で回動可能となっている。
【００１５】
コンピュータ本体２は、偏平な箱状の筐体１０を備えている。筐体１０の上面には、キーボード取付部１１が形成されている。キーボード取付部１１には、キーボード１２が支持されている。
【００１６】
ディスプレイモジュール３は、偏平な箱状のディスプレイ筐体１５と、ディスプレイ筐体１５に収容された液晶表示パネル１６とを備えている。液晶表示パネル１６は、スクリーン１６ａを有している。スクリーン１６ａは、ディスプレイ筐体１５の前面に開けた開口部１７を通じてディスプレイモジュール３の外に露出している。
【００１７】
図１に示すように、筐体１０は、回路モジュール１９を収容している。回路モジュール１９は、モジュール基板２０を備えている。モジュール基板２０は、第１の基板２１と、第２の基板２２とで構成されている。第１の基板２１は、剛性を有する、いわゆるリジッドプリント配線板である。第２の基板２２は、柔軟性を有する、いわゆるフレキシブルプリント配線板である。
【００１８】
第１の基板２１には、第１の基板２１を厚み方向に貫通する枠状の孔であるスリット２４が設けられている。このスリット２４により、第１の基板２１の中に矩形状の実装基板２６が形成されている。
【００１９】
実装基板２６は、部品実装部の一例であり、第１の基板２１と同様の剛性を有している。実装基板２６は、スリット２４により取り囲まれて、第１の基板２１から切り離されている。さらに、実装基板２６は、第１の実装面３５および第２の実装面４２を有している。第２の実装面４２は、第１の実装面３５の反対側に位置している。
【００２０】
実装基板２６の第１の実装面３５に電子部品の一例であるＢＧＡ（Ｂａｌｌ  Ｇｒｉｄ  Ａｒｒａｙ）３０が実装されている。ＢＧＡ３０は、４つの角部３０ａを有している。  
ＢＧＡ３０は、マトリクス状に配列された複数の半田ボール３３を有している。半田ボール３３は、接続端子の一例である。半田ボール３３は、第１の実装面３５に設けられた図示しないパッドに半田付けされている。さらに、第１の基板２１および実装基板２６の第２の実装面４２に、例えばコンデンサや抵抗器のようなその他の電子部品３１が実装されている。
【００２１】
図３に示すように、第２の基板２２は、第１の基板２１の内部から実装基板２６の内部のそれぞれ全域にわたるように積層されている。  
第２の基板２２は、スリット２４を横断して第１の基板２１と実装基板２６との間にわたって設けられている。詳しく述べると、第２の基板２２は、矩形の実装基板２６の４つの側縁２６ａから、スリット２４の外周縁を規定する第１の基板２１の４つの側縁２１ａにわたって設けられており、第２の基板２２の一部がスリット２４に露出されている。
【００２２】
第２の基板２２は、第１の基板２１と実装基板２６との間をつないでいる。これにより、実装基板２６は、第１の基板２１とおおよそ同一平面上に支持される。第２の基板２２が柔軟性を有するため、実装基板２６は第１の基板２１に対してわずかに動くことができる。なお、第２の基板２２は、スリット２４の全域に設けられていても良い。
【００２３】
図４は、成形前のモジュール基板２０の積層構造を示している。第１の基板２１は、第１のプリプレグ５０と、第１の接着剤層５１と、第２の接着剤層５２と、第２のプリプレグ５３とを有している。
【００２４】
第１のプリプレグ５０は、一方の面に形成された導体パターン５０ａと、他方の面に形成された導体パターン５０ｂとを有している。第２のプリプレグ５３は、一方の面に形成された導体パターン５３ａと、他方の面に形成された導体パターン５３ｂとを有している。
【００２５】
実装基板２６は、第３のプリプレグ５４と、第３の接着剤層５５と、第４の接着剤層５６と、第４のプリプレグ５７とを有している。  
第３のプリプレグ５４は、一方の面に形成された導体パターン５４ａと、他方の面に形成された導体パターン５４ｂとを有している。第４のプリプレグ５７は、一方の面に形成された導体パターン５７ａと、他方の面に形成された導体パターン５７ｂとを有している。
【００２６】
第２の基板２２は、第１の基板２１の第１の接着剤層５１と第２の接着剤層５２との間に介在されているとともに、実装基板２６の第３の接着剤層５５と第４の接着剤層５６との間に介在されている。
【００２７】
さらに、第２の基板２２は、第１の面２２ａおよび第１の面２２ａの反対側に位置する第２の面２２ｂを有している。第２の基板２２の第１の面２２ａに導体パターン２２ｃが形成されている。導体パターン２２ｃは、実装基板２６上のパッドに電気的に接続される。
【００２８】
次に、モジュール基板２０の製造方法について説明する。  
第２の基板２２の第１の面２２ａの上に、第２の接着剤層５２、第２のプリプレグ５３、第４の接着剤層５６、および第４のプリプレグ５７を重ねる。第２の基板２２の第２の面２２ｂの上に、第１の接着剤層５１、第１のプリプレグ５０、第３の接着剤層５５、および第３のプリプレグ５４を重ねる。
【００２９】
第１のプリプレグ５０、第１の接着剤層５１、第２の基板２２、第２の接着剤層５２、および第２のプリプレグ５３にそれぞれ設けられた孔に、複数のガイドピン５９を挿入し、位置合わせを行なう。ガイドピン５９によって、第１のプリプレグ５０、第１の接着剤層５１、第２の基板２２、第２の接着剤層５２、および第２のプリプレグ５３は、それぞれ所定の位置関係を有して互いに重なり合う。
【００３０】
第３のプリプレグ５４、第３の接着剤層５５、第２の基板２２、第４の接着剤層５６、および第４のプリプレグ５７にそれぞれ設けられた孔に、複数のガイドピン５９を挿入し、位置合わせを行なう。ガイドピン５９によって、第３のプリプレグ５４、第３の接着剤層５５、第２の基板２２、第４の接着剤層５６、および第４のプリプレグ５７は、それぞれ所定の位置関係を有して互いに重なり合う。
【００３１】
上述のような位置合わせを行なった後、全てのガイドピン５９を抜く。この状態で、第１ないし第４のプリプレグ５０，５３，５４，５７、第１ないし第４の接着剤層５１，５２，５５，５６、および第２の基板２２を加熱し、図４中の矢印Ａ方向に加圧する。この後、スルーホールの形成工程などを経て、図３に示すようなモジュール基板２０が形成される。
【００３２】
なお、モジュール基板２０の製造方法は上述の方法に限らない。例えば、第２の基板２２に形成された孔にガイドピン５９を挿入した後に、第１ないし第４のプリプレグ５０，５３，５４，５７および第１ないし第４の接着剤層５１，５２，５５，５６を、第２の基板２２に重ねても良い。
【００３３】
次に、前記構成のポータブルコンピュータ１の効果について説明する。  
柔軟性を有する第２の基板２２が実装基板２６を支持しているため、実装基板２６は第１の基板２１に対してわずかに動くことができる。これにより、ポータブルコンピュータ１が衝撃を受け、回路モジュール１９に衝撃が伝わった場合、ＢＧＡ３０が受ける衝撃を緩和することができる。
【００３４】
すなわち、実装基板２６が伝わった衝撃にあわせて柔軟に動くことにより、ＢＧＡ３０に伝わる衝撃が緩和される。これにより、実装基板２６とＢＧＡ３０との間の電気的な接続の不具合を防ぐことができる。特に、故障の原因となりやすいＢＧＡ３０の角部３０ａにかかる応力を緩和することができるため、ＢＧＡ３０と、実装基板２６との間の電気的な接続の不具合を効果的に防ぐことができる。
【００３５】
しかも、回路モジュール１９のモジュール基板２０が熱によって膨張した場合、膨張した第１の基板２１および実装基板２６によって第２の基板２２がたわむことで、実装基板２６およびＢＧＡ３０にかかる応力を緩和することができる。これにより、熱膨張によるＢＧＡ３０と実装基板２６との間の電気的な接続の不具合を防ぐことができる。
【００３６】
さらに、第１の基板２１と実装基板２６とは、フレキシブルプリント配線板である第２の基板２２でつながっている。このため、本実施形態のようなＢＧＡ３０にかかる衝撃を緩和する構造を採用しても、回路モジュール１９の回路設計の自由度を保つことができる。
【００３７】
加えて、ＢＧＡ３０の反対側に位置する実装基板２６の第２の実装面４２に、その他の電子部品３１を実装することができる。これにより、回路モジュール１９を高密度化することができる。
【００３８】
次に、本発明の第２ないし第５の実施の形態について、各々の図面を参照して説明する。このとき、第１の実施の形態のポータブルコンピュータ１と同一の構成部分には同一の参照符号を付してその説明を省略する。
【００３９】
図５および図６は、本発明の第２の実施の形態を開示している。  
図５に示すように、ＢＧＡ３０のそれぞれの角部３０ａに補強部６０が設けられている。補強部６０は、ＢＧＡ３０と実装基板２６との間にわたって充填された熱硬化性の接着剤で構成されている。
【００４０】
詳しく述べると、図６に示すように、補強部６０は、ＢＧＡ３０の側縁３０ｂから実装基板２６の第１の実装面３５にわたって設けられ、それぞれに接着している。補強部６０は、ＢＧＡ３０と実装基板２６とに接着した状態で硬化しているため、実装基板２６にＢＧＡ３０を固定している。なお、補強部６０は、ＢＧＡ３０の上面３０ｃまで設けられていても良い。
【００４１】
次に、前記構成のポータブルコンピュータ１の効果について説明する。  
補強部６０が実装基板２６にＢＧＡ３０を固定することで、ＢＧＡ３０と実装基板２６との半田付け部分が補強される。これにより、ＢＧＡ３０と実装基板２６との電気的な接続の不具合をさらに効果的に防ぐことができる。
【００４２】
なお、補強部６０を構成する接着剤は、熱硬化性に限らない。例えば、紫外線や時間の経過によって硬化する接着剤を用いても良い。
【００４３】
次に、本発明の第３の実施の形態を、図７および図８に基づいて説明する。  
図７に示すように、第１の基板２１と実装基板２６との間にわたって複数の衝撃吸収材６３が設けられている。衝撃吸収材６３は、例えば運動エネルギーを熱に変換するシート状のジェルで形成されている。衝撃吸収材６３に運動エネルギーを加えると、この運動エネルギーを熱に変換して減衰させる。
【００４４】
図８に示すように、それぞれの衝撃吸収材６３は、一方の端部６３ａが実装基板２６の第１の実装面３５に貼り付けられ、他方の端部６３ｂが第１の基板２１の上面２１ｂに貼り付けられている。そのため、衝撃吸収材６３はスリット２４の一部を覆っている。
【００４５】
なお、衝撃吸収材６３の配置は図７のような配置に限らない。例えば衝撃吸収材６３が斜めに設けられ、第１の基板２１の隣り合う側縁２１ａどうしをつないでいても良い。もしくは、スリット２４よりも大きい１つの衝撃吸収材６３が、第１の基板２１、スリット２４、および実装基板２６を覆って設けられていてもよい。
【００４６】
さらに、衝撃吸収材６３は、実装基板２６の第２の実装面４２と第１の基板２１との間に設けても良い。つまり、衝撃吸収材６３は、第１の基板２１の少なくとも一部と実装基板２６の少なくとも一部との間にわたって設けられていれば良い。
【００４７】
次に、前記構成のポータブルコンピュータ１の効果について説明する。  
衝撃吸収材６３は、第１の基板２１と実装基板２６との間にわたって設けられている。回路モジュール１９が衝撃を受けた場合、衝撃吸収材６３が衝撃による運動エネルギーを熱に変換することで、ＢＧＡ３０に伝わる衝撃が緩和される。これにより、ＢＧＡ３０と実装基板２６との電気的な接続の不具合をさらに効果的に防ぐことができる。
【００４８】
次に、本発明の第４の実施の形態を、図９に基づいて説明する。  
図９に示すように、フレキシブルな第２の基板２２は、第１の基板２１の内部の一部分および実装基板２６の内部の一部分にそれぞれ積層されて、スリット２４を横断している。
【００４９】
次に、前記構成のポータブルコンピュータ１の効果について説明する。  
本実施の形態は、第２の基板２２が第１の基板２１および実装基板２６の内部のそれぞれ一部分にのみ設けられている点で、第１の実施の形態と異なっている。これにより、接着剤層よりも高価なフレキシブルプリント配線板の使用を減らし、コストを低減することができる。
【００５０】
次に、本発明の第５の実施の形態を、図１０に基づいて説明する。  
第１の基板２１は、スリット６６と、部品実装部６７とを備えている。スリット６６は、第１の基板２１を厚み方向に貫通する孔であり、直線状をなす第１ないし第３の部分６６ａ，６６ｂ，６６ｃを有している。
【００５１】
第２の部分６６ｂは、第１の部分６６ａの一端から第１の部分６６ａと直交する方向に延びている。第３の部分６６ｃは、第１の部分６６ａの他端から第１の部分６６ａと直交する方向に延びている。そのため、第２の部分６６ｂおよび第３の部分６６ｃは、互いに間隔を存して並行に配置されている。
【００５２】
部品実装部６７は、スリット６６の第１ないし第３の部分６６ａ，６６ｂ，６６ｃによって三方から囲まれた領域によって定められており、矩形の片持ち梁状をなしている。この部品実装部６７には、ＢＧＡ３０が実装されている。
【００５３】
第２の基板２２は、スリット６６の第１ないし第３の部分６６ａ，６６ｂ，６６ｃを横切っている。詳しく述べると、第２の基板２２は、部品実装部６７の３つの側縁６７ａから、それぞれの側縁６７ａと対向する第１の基板２１の側縁２１ａとの間にわたって設けられており、第２の基板２２の一部がスリット６６に露出されている。なお、第２の基板２２は、スリット６６の全域に設けられていても良い。
【００５４】
部品実装部６７は、連続部６８を介して第１の基板２１とつながっている。第２の基板２２は柔軟性を有するため、部品実装部６７は、連続部６８を支点として、第１の基板２１に対してわずかに動くことができる。
【００５５】
次に、前記構成のポータブルコンピュータ１の効果について説明する。  
第２の基板２２が柔軟性を有しているため、部品実装部６７は、連続部６８を支点として、第１の基板２１に対してわずかに動くことができる。これにより、ポータブルコンピュータ１が衝撃を受け、回路モジュール１９に衝撃が伝わった場合、ＢＧＡ３０が受ける衝撃を緩和することができる。
【００５６】
すなわち、部品実装部６７が伝わった衝撃に応じて柔軟に動くことにより、ＢＧＡ３０に伝わる衝撃が緩和される。これにより、ＢＧＡ３０と部品実装部６７との電気的な接続の不具合を防ぐことができる。特に、故障の原因となりやすいＢＧＡ３０の角部３０ａにかかる応力を緩和することができるため、ＢＧＡ３０と部品実装部６７との間の電気的な接続の不具合を効果的に防ぐことができる。
【００５７】
さらに、回路モジュール１９が熱によって膨張した場合、膨張した第１の基板２１および部品実装部６７に応じて第２の基板２２がたわむことで、部品実装部６７およびＢＧＡ３０にかかる応力を緩和することができる。これにより、熱膨張によるＢＧＡ３０と部品実装部６７との間の電気的な接続の不具合を防ぐことができる。
【００５８】
しかも、第１の基板２１と部品実装部６７とは、連続部６８の他にフレキシブルプリント配線板である第２の基板２２でつながっている。このため、本実施形態のようなＢＧＡ３０にかかる衝撃を緩和する構造を採用しても、回路モジュール１９における回路設計の自由度を保つことができる。
【００５９】
なお、スリットおよび部品実装部の形状は、上述したものに限らない。例えば、並行に延びる２つのスリットを第１の基板に設け、２つのスリットに挟まれた領域を部品実装部としても良い。もしくは、直線状に設けられた部分と、この部分の一端からこの部分と直交する方向に延びる部分とで構成されるスリットを第１の基板に設け、このスリットに隣接する矩形の領域を部品実装部としても良い。
【００６０】
さらに、第１ないし第５の実施の形態では、ＢＧＡを電子部品の一例としたが、他の種類の電子部品でも良い。例えばピン状の接続端子を有するＰＧＡ（Ｐｉｎ  Ｇｒｉｄ  Ａｒｒａｙ）や、側方に向けて接続端子が延びるＱＦＰ（Ｑｕａｄ  Ｆｌａｔ  Ｐａｃｋａｇｅ）のような電子部品を用いることができる。
【符号の説明】
【００６１】
１…ポータブルコンピュータ，１０…筐体，１９…回路モジュール，２１…第１の基板，２２…第２の基板，２４，６６…スリット，２６…実装基板，３０…ＢＧＡ，６７…部品実装部。
【図１】
2011014648.tif 000003
【図２】
2011014648.tif 000004
【図３】
2011014648.tif 000005
【図４】
2011014648.tif 000006
【図５】
2011014648.tif 000007
【図６】
2011014648.tif 000008
【図７】
2011014648.tif 000009
【図８】
2011014648.tif 000010
【図９】
2011014648.tif 000011
【図１０】
2011014648.tif 000012
【手続補正書】
【提出日】平成22年7月30日(2010.7.30)
【手続補正１】
【補正対象書類名】特許請求の範囲
【補正対象項目名】全文
【補正方法】変更
【補正の内容】
【特許請求の範囲】
【請求項１】
筐体と、
前記筐体内に収容され、スリットが設けられた剛性を有する第１の基板と、
前記第１の基板に設けられ、前記スリットに隣接する部品実装部と、
前記部品実装部に実装された電子部品と、
前記第１の基板の内部および前記部品実装部の内部に積層され、前記スリットを横断することで前記部品実装部を前記第１の基板に対し変位可能に支持する柔軟性を有する第２の基板と、
前記第１の基板の少なくとも一部と前記部品実装部の少なくとも一部との間にわたって設けられる衝撃吸収材と、を備え、
前記スリットは、前記第１の基板を厚み方向に貫通し、
前記第２の基板は、前記第１の基板および前記部品実装部のそれぞれ全域にわたるように積層されたことを特徴とする電子機器。
【請求項２】
前記衝撃吸収材がシート状に形成された請求項１に記載の電子機器。
【請求項３】
前記衝撃吸収材は、運動エネルギーを熱に変換することで、運動エネルギーを減衰させる請求項２に記載の電子機器。
【手続補正２】
【補正対象書類名】明細書
【補正対象項目名】０００９
【補正方法】変更
【補正の内容】
【０００９】
上記目的を達成するための本発明の一つの形態に係る電子機器は、  
筐体と、前記筐体内に収容され、スリットが設けられた剛性を有する第１の基板と、前記第１の基板に設けられ、前記スリットに隣接する部品実装部と、前記部品実装部に実装された電子部品と、前記第１の基板の内部および前記部品実装部の内部に積層され、前記スリットを横断することで前記部品実装部を前記第１の基板に対し変位可能に支持する柔軟性を有する第２の基板と、前記第１の基板の少なくとも一部と前記部品実装部の少なくとも一部との間にわたって設けられる衝撃吸収材と、を備えている。前記スリットは、前記第１の基板を厚み方向に貫通している。前記第２の基板は、前記第１の基板および前記部品実装部のそれぞれ全域にわたるように積層される。
【手続補正３】
【補正対象書類名】明細書
【補正対象項目名】００１０
【補正方法】削除
【補正の内容】